(57)【要約】【課題】  取付作業が電柱の片側のみで行うことができ、軽量かつ簡単な構造で、電柱上での作業性を高め、安定性の高い電柱用簡易作業足場を提供する。【解決手段】  電柱Ｐから突出して所定間隔ごとに設けられた隣り合う上側及び下側の足場ボルト１１に対し、それぞれの足場ボルト１１に係合する取付部材２，３と、作業者の足場となる足場部材４とを有し、上記各取付部材２，３と上記足場部材４の両端部はベルト５を介して連結され、当該ベルト５には、長さを調節するためのバックル１０が備わる。【選択図】        図１
0003126299.tif 000002
【実用新案登録請求の範囲】
【請求項１】
電柱から突出して所定間隔ごとに設けられた隣り合う上側及び下側の足場ボルトに対し、それぞれの足場ボルトに係合する取付部材と、
作業者の足場となる足場部材とを有し、
上記各取付部材と上記足場部材の両端部はベルトを介して連結され、
当該ベルトには、長さを調節するためのバックルが備わることを特徴とする電柱用簡易作業足場。
【請求項２】
上記ベルトは、上記取付部材と上記足場部材を連結する端部ごとに備わることを特徴とする請求項１に記載の電柱用簡易作業足場。
【考案の詳細な説明】
【技術分野】
【０００１】
本考案は、電柱で作業する作業者の足場となる電柱用簡易作業足場に関するものである。
【背景技術】
【０００２】
電柱の左右には、足場ボルトが突出して設けられている。この足場ボルトは、作業者が電柱を昇降しやすいように、左右の足場ボルトは上下方向に互い違いに形成されている。しかし、電柱上で作業する場合、このように左右の足場ボルトに段差があると、作業者は常にその段差に合わせて片方の足を折り曲げて無理な姿勢で作業することになり、作業性が悪いものである。
【０００３】
したがって、作業中は左右両方の足場が水平であることが望ましい。作業中に簡易足場を設け、作業者の足場を水平とするための電力柱用携帯簡易足場が特許文献１に記載されている。この電力柱用携帯簡易足場は、角形状の本体の上下に備わるフックと、足場と、電柱に固定するためのバンドで構成され、不自然な姿勢での作業を不要とするものである。
【０００４】
しかし、特許文献１に記載の電力柱用携帯簡易足場は、まず電柱片側の足場ボルトにフックを介して本体を取り付け、その後バンドを電柱の片側から反対側に手を回して巻きつける必要がある。すなわち、作業者は取付けの際に電柱の左右両側での取付け作業が必要となる。足場が段差となっていて姿勢が不自然な状態で、電柱の左右に手を回す等の作業は、姿勢を変える必要もあり困難である。したがって、特許文献１に記載の簡易足場の取付け作業は、作業者にとって手間がかかり面倒なものである。
【０００５】
また、下側の足場ボルトに係合するフックは、足場ボルトの一部分でのみ係合するので、不安定であり、作業者の重量がかかるときの圧縮応力に耐えうるだけの強度及び構造が必要となる。同様に、足場は本体により片側でのみ支持されるため、やはり不安定であり、作業者の重量に耐えうるだけの強度及び構造が必要となる。したがって、フックや本体は、このような機械的強度を得るための材質で部材を形成する必要があるので、重量が重くなり、持ち運びに不便である。また、足場が片側でのみ支持され、下側のフックが足場ボルトの一部分のみで支持されることは、作業者にとって不安な要素となる。
【０００６】
【特許文献１】実開平５−１０６４２号公報
【考案の開示】
【考案が解決しようとする課題】
【０００７】
本考案は上記従来技術を考慮したものであって、取付作業が電柱の片側のみで行うことができ、軽量かつ簡単な構造で、電柱上での作業性を高め、安定性の高い電柱用簡易作業足場の提供を目的とするものである。
【課題を解決するための手段】
【０００８】
前記目的を達成するため、請求項１の考案では、電柱から突出して所定間隔ごとに設けられた隣り合う上側及び下側の足場ボルトに対し、それぞれの足場ボルトに係合する取付部材と、作業者の足場となる足場部材とを有し、上記各取付部材と上記足場部材の両端部はベルトを介して連結され、当該ベルトには、長さを調節するためのバックルが備わることを特徴とする電柱用簡易作業足場を提供する。
【０００９】
また、請求項２の考案では、上記ベルトは、上記取付部材と上記足場部材を連結する端部ごとに備わることを特徴としている。
【考案の効果】
【００１０】
請求項１の考案によれば、電柱片側の上下の足場ボルトに取付部材を取付け、ベルトをバックルで調節するだけで作業足場を形成できるので、電柱の片側だけの作業で足場を取付けることができ、姿勢を変えずに取付けることが可能となり、簡単かつ迅速に取付け作業を行うことができる。また、足場部材の両端部が上下の取付部材と連結されるので、足場部材は両端で保持されることになり、安定性の高い足場を形成できる。また、取付け部材と足場部材はベルトで連結されるため、構造が簡単で軽量となり、持ち運びの便がよく、作業者の負担を軽減できる。
【００１１】
請求項２の考案によれば、ベルトは、取付部材と足場部材を連結する端部ごとに備わるため、ベルトごとに長さを調節することにより、足場部材の左右の水平位置を調節できるので、利便性が高い。
【考案を実施するための最良の形態】
【００１２】
本考案は、電柱から突出して所定間隔ごとに設けられた隣り合う上側及び下側の足場ボルトに対し、それぞれの足場ボルトの長手方向に沿って係合する取付部材と、作業者の足場となる足場部材とを有し、上記各取付部材と上記足場部材の両端部はベルトを介して連結され、当該ベルトには、長さを調節するためのバックルが備わることを特徴とする電柱用簡易作業足場である。
【実施例１】
【００１３】
図１は本考案に係る電柱用簡易作業足場の正面図であり、図２はその側面図、図３（Ａ）、（Ｂ）は取付部材の正面及び側面の拡大図であり、図４（Ａ）、（Ｂ）は足場部材の正面及び側面の拡大図である。
【００１４】
図示したように、本考案に係る電柱用簡易作業足場１は、上下の取付部材２，３と、足場部材４、及びこれらを連結するベルト５で構成される。取付部材２はその両端が下向きに屈曲した係合部材７を有し、この係合部材７の左右の下端には、溝６が形成されている。この両端の溝６に電柱から突出する既設の足場ボルト（図５参照）が係合して取付けられる。したがって、取付部材２，３はその両端で足場ボルトに確実に係合するので、作業者の重量による応力を吸収することができる。また、係合部材７の両側には連結部材８が溶着される。なお、上下の取付部材２，３は同様の構造である。
【００１５】
足場部材４は、断面コ字状の板状部材であり、その両端にリング状の環状連結部材９が溶着される。上下の連結部材８，８及びリング状の環状連結部材９は、それぞれベルト５により連結される。具体的には、両連結部材８，９にベルト５を通し、ベルト５を結束することにより連結される。
【００１６】
ベルト５には、バックル１０が備わる。このバックル１０により、ベルト５の長さを調節可能である。なお、図では上側の連結はベルト５を２本用いた構造を示し、下側の連結は１本のベルト５で連結した構造を示したが、上下とも２本又は１本で連結する構造であってもよい。ベルト５を取付部材２，３及び足場部材４の端部ごとに２本用いて連結する構造とすれば、足場部材４の水平位置を調整し易い。このように、取付け部材２，３と足場部材４をベルト５で連結するため、構造が簡単で軽量となり、持ち運びの便がよく、作業者の負担を軽減できる。
【００１７】
図５は本考案に係る電柱用簡易作業足場を電柱に取り付けた状態を示す概略構成図である。
図示したように、電柱Ｐの左右から突出して設けられた既設の足場ボルト１１の片側（図では右側）の隣り合う上下２本の足場ボルト１１，１１に対して、電柱用簡易作業足場１は取付けられる。このように取付けることにより、足場部材４が、反対側（図では左側）の足場ボルト１１と略水平一直線となるので、作業者が両足を水平に揃えた状態で電柱上での作業が可能となるので、安定性の高い足場を形成でき、作業性が向上する。
【００１８】
本考案に係る電柱用簡易作業足場１を電柱Ｐに取付ける場合、まず上側の取付け部材２を足場ボルト１１の上から被せ、当該取付部材２の両端の溝６に足場ボルト１１を係合させる。この後、上側及び下側のベルト５，５を調整して足場部材４を反対側の足場ボルト１１と水平となるように調節する。これと同時に、下側の取付け部材３を下側の足場ボルト１１の下方から被せ、当該取付部材３の両端の溝６に足場ボルト１１を係合させ、バックル１０によりベルト５を締め付ける。これにより、ベルト５の張力で足場部材４はその両端を確実に保持される。
【００１９】
このような構成により、電柱Ｐの片側の上下の足場ボルト１１，１１に取付部材２，３を取付け、ベルト５をバックル１０で調節するだけで作業足場を形成できるので、電柱Ｐの片側（図では右側）だけの作業で作業足場１を取付けることができる。したがって、姿勢を変えずに取付けることが可能となり、簡単かつ迅速に取付け作業を行うことができる。また、足場部材４の両端部が上下の取付部材２，３と連結されるので、足場部材４は両端で確実に保持されることになり、安定性の高い足場を形成できる。
【産業上の利用可能性】
【００２０】
本考案は、上下に固定された棒状部材間に足場を形成する構成として適用できる。
【図面の簡単な説明】
【００２１】
【図１】本考案に係る電柱用簡易作業足場の正面図である。
【図２】図１の側面図である。
【図３】（Ａ）、（Ｂ）は取付部材の正面及び側面の拡大図である。
【図４】（Ａ）、（Ｂ）は足場部材の正面及び側面の拡大図である。
【図５】本考案に係る電柱用簡易作業足場を電柱に取り付けた状態を示す概略構成図である。
【符号の説明】
【００２２】
１：電柱用簡易作業足場、２，３：取付部材、４：足場部材、５：ベルト、６：溝、７：係合部材、８：連結部材、９：環状連結部材、１０：バックル、１１：足場ボルト、Ｐ：電柱
【図１】
0003126299.tif 000003
【図２】
0003126299.tif 000004
【図３】
0003126299.tif 000005
【図４】
0003126299.tif 000006
【図５】
0003126299.tif 000007